(57)【要約】【課題】  画像形成装置等の機器を運送する際、機械間の干渉で外装部材が傷付くことを防止する手段を提供する。【解決手段】  取手部６に取り付けるアタッチメント１０の本体１１を、取手部６の凹部７内に嵌着可能とする。本体１１は、上縁のストッパ部１２と正面の一対のピン１３、１３を備え、ピン１３の左右両側に板バネ１４、１４を設ける。連結部材２０は、一対の突起状のガイド２１、２１を内蔵した端部開口からピン１３にかぶせるようにセットし、隣り合って並置した画像形成装置等の機器間の距離を固定し、機器同士の衝突による外装部材への衝撃発生、傷付きを防止する。連結部材２０の取手部６への固定を工具を使用せずに行える。【選択図】        図２
2006182365.tif 000002
【特許請求の範囲】
【請求項１】
画像形成装置等の複数の機器同士を並置する際の機器間の緩衝による加傷を防止するための加傷防止器であって、前記機器の取手部に装着可能な本体部と、該本体部に装着可能な連結部材とからなることを特徴とする加傷防止器。
【請求項２】
請求項１の加傷防止器において、前記本体部が前記取手部に、前記連結部が前記本体部に、それぞれ工具を用いずに嵌着可能であることを特徴とする加傷防止器。
【請求項３】
請求項１または２の加傷防止器において、前記本体部が、前記取手部の凹部に装着する箱状のアタッチメント部と、該アタッチメント部から外方へ突出するバネ体とからなり、該バネ体を介して前記アタッチメント部を前記取手部の凹部内に固定可能としたことを特徴とする加傷防止器。
【請求項４】
請求項４の加傷防止器において、前記本体部に前記連結部材を取り付けるためのピン状部材を備えることを特徴とする加傷防止器。
【請求項５】
請求項４の加傷防止器において、前記ピン状部材を一対備え、該一対のピン状部材の間に前記連結部材の端部を挟み得るようにしたことを特徴とする加傷防止器。
【請求項６】
請求項５の加傷防止器において、前記連結部材の端部に、前記ピン状部材の間に挟み得る突状ガイド部材を一対備えることを特徴とする加傷防止器。
【請求項７】
画像形成装置等の複数の機器同士を並置する際の機器間の緩衝による加傷を防止するための加傷防止器であって、前記機器の取手部に装着可能な本体部と、該本体部に装着可能な緩衝部材とからなり、該緩衝部材が、前記機器の一対の側面とそれらの間に位置する正面と背面の少なくとも一面に掛け回し可能なものであることを特徴とする加傷防止器。
【請求項８】
請求項７の加傷防止器において、前記本体部が前記取手部に、前記緩衝部材が前記本体部に、それぞれ工具を用いずに装着可能であることを特徴とする加傷防止器。
【請求項９】
請求項７または８の加傷防止器において、前記本体部が、前記取手部の凹部に装着する箱状のアタッチメント部と、該アタッチメント部から外方へ突出するバネ体とからなり、該バネ体を介して前記アタッチメント部を前記取手部の凹部内に固定可能としたことを特徴とする加傷防止器。
【請求項１０】
請求項９の加傷防止器において、前記本体部に前記緩衝部材を取り付けるためのピン状部材を備えることを特徴とする加傷防止器。
【請求項１１】
請求項１０の加傷防止器において、前記ピン状部材を一対備え、該一対のピン状部材のいずれかに前記緩衝部材の端部を掛け止め得るようにしたことを特徴とする加傷防止器。
【請求項１２】
請求項１から６のいずれかの加傷防止器を用いて画像形成装置等の複数の機器同士を並置する際の機器間の緩衝による加傷を防止することを特徴とする機器加傷防止機構。
【請求項１３】
請求項７から１１のいずれかの加傷防止器を用いて画像形成装置等の複数の機器同士を並置する際の機器間の緩衝による加傷を防止することを特徴とする機器加傷防止機構。
【請求項１４】
請求項１から６のいずれかの加傷防止器、及び請求項７から１１のいずれかの加傷防止器をともに用いて画像形成装置等の複数の機器同士を並置する際の機器間の緩衝による加傷を防止することを特徴とする機器加傷防止機構。
【請求項１５】
請求項１２から１４のいずれかの加傷防止機構を用い得る取手部を有することを特徴とする機器。
【請求項１６】
請求項１２から１４のいずれかの加傷防止機構を用い得る取手部を有することを特徴とする画像形成装置。
【発明の詳細な説明】
【技術分野】
【０００１】
本発明は、画像形成装置等の機器を市場から回収、運送する際に、機械間の干渉で発生する外装部材の傷付き防止するための加傷防止器、これを用いた機器加傷防止機構、画像形成装置に関する。
【背景技術】
【０００２】
例えば市場で使用済みの画像形成装置の回収では、複数の機器を並置して運送することが多いが、機器間の干渉防止が不十分だと、運送時に機器同士がぶつかり合ったりすることにより、外装部材が傷付いて再使用できないことがあり得る。
【０００３】
そこで回収機運送時における機器間の干渉を防止する方法としては、並置した機器の間に緩衝材を介在させることが行われている。
【０００４】
例えば画像形成装置の輸送時における外装部材の傷付き防止機構として、引き出し式の取手を介して行うものが提案されている（例えば、特許文献１参照）。
【特許文献１】特開２００１−１１４３３０号公報
【発明の開示】
【発明が解決しようとする課題】
【０００５】
しかしながら、従来の画像形成装置等では、回収運送時の干渉防止が不十分であり、緩衝材を介在させるにしても固定方法が不十分であったため、やはり機器の干渉で外装部材の傷付きが発生していた。また、緩衝材等の部材を工具を使用して固定していたため、多大な工数を要する欠点があった。
【０００６】
本発明は、上述した従来の問題点にかんがみ、工具を用いずに簡単に機器の運送時の干渉を防止できる加傷防止器、これを用いた機器加傷防止機構、機器、画像形成装置を提供することを目的とする。
【課題を解決するための手段】
【０００７】
請求項１に係る本発明の加傷防止器は、画像形成装置等の複数の機器同士を並置する際の機器間の緩衝による加傷を防止するための加傷防止器であって、前記機器の取手部に装着可能な本体部と、該本体部に装着可能な連結部材とからなることを特徴とする。
【０００８】
同請求項２に係るものは、請求項１の加傷防止器において、前記本体部が前記取手部に、前記連結部が前記本体部に、それぞれ工具を用いずに嵌着可能であることを特徴とする。
【０００９】
同請求項３に係るものは、請求項１または２の加傷防止器において、前記本体部が、前記取手部の凹部に装着する箱状のアタッチメント部と、該アタッチメント部から外方へ突出するバネ体とからなり、該バネ体を介して前記アタッチメント部を前記取手部の凹部内に固定可能としたことを特徴とする。
【００１０】
同請求項４に係るものは、請求項４の加傷防止器において、前記本体部に前記連結部材を取り付けるためのピン状部材を備えることを特徴とする。
【００１１】
同請求項５に係るものは、請求項４の加傷防止器において、前記ピン状部材を一対備え、該一対のピン状部材の間に前記連結部材の端部を挟み得るようにしたことを特徴とする。
【００１２】
同請求項６に係るものは、請求項５の加傷防止器において、前記連結部材の端部に、前記ピン状部材の間に挟み得る突状ガイド部材を一対備えることを特徴とする。
【００１３】
同請求項７に係るものは、画像形成装置等の複数の機器同士を並置する際の機器間の緩衝による加傷を防止するための加傷防止器であって、前記機器の取手部に装着可能な本体部と、該本体部に装着可能な緩衝部材とからなり、該緩衝部材が、前記機器の一対の側面とそれらの間に位置する正面と背面の少なくとも一面に掛け回し可能なものであることを特徴とする。
【００１４】
同請求項８に係るものは、請求項７の加傷防止器において、前記本体部が前記取手部に、前記緩衝部材が前記本体部に、それぞれ工具を用いずに装着可能であることを特徴とする。
【００１５】
同請求項９に係るものは、請求項７または８の加傷防止器において、前記本体部が、前記取手部の凹部に装着する箱状のアタッチメント部と、該アタッチメント部から外方へ突出するバネ体とからなり、該バネ体を介して前記アタッチメント部を前記取手部の凹部内に固定可能としたことを特徴とする。
【００１６】
同請求項１０に係るものは、請求項９の加傷防止器において、前記本体部に前記緩衝部材を取り付けるためのピン状部材を備えることを特徴とする。
【００１７】
同請求項１１に係るものは、請求項１０の加傷防止器において、前記ピン状部材を一対備え、該一対のピン状部材のいずれかに前記緩衝部材の端部を掛け止め得るようにしたことを特徴とする。
【００１８】
請求項１２に係る本発明の機器加傷防止機構は、請求項１から６のいずれかの加傷防止器を用いて画像形成装置等の複数の機器同士を並置する際の機器間の緩衝による加傷を防止することを特徴とする。
【００１９】
同請求項１３に係るものは、請求項７から１１のいずれかの加傷防止器を用いて画像形成装置等の複数の機器同士を並置する際の機器間の緩衝による加傷を防止することを特徴とする。
【００２０】
同請求項１４に係るものは、請求項１から６のいずれかの加傷防止器、及び請求項７から１１のいずれかの加傷防止器をともに用いて画像形成装置等の複数の機器同士を並置する際の機器間の緩衝による加傷を防止することを特徴とする。
【００２１】
請求項１５に係る本発明の機器は、請求項１２から１４のいずれかの加傷防止機構を用い得る取手部を有することを特徴とする。
【００２２】
請求項１６に係る本発明の画像形成装置は、請求項１２から１４のいずれかの加傷防止機構を用い得る取手部を有することを特徴とする。
【発明の効果】
【００２３】
本発明は、工具を用いずに簡単に画像形成装置等の機器を複数並置して運送する時の干渉と、それによる外装部材の傷付きを防止できる。
【発明を実施するための最良の形態】
【００２４】
以下本発明を実施するための最良の形態を、図に示す実施例を参照して説明する。なお以下では画像形成装置を例にとって説明するが、本発明はこれに限定されず、取手を備えた種々の機器に適用できる。
【実施例１】
【００２５】
図１は本発明の実施対象とする画像形成装置の一例を示す斜視図である。図中１は作像手段等を内蔵する装置本体、２は装置本体の上部に搭載した自動原稿給送装置、３は操作部、４は給紙部であり、左右両側面５にそれぞれ一対の取手部６、６を備えている（図では正面から見た左側の側面のみを示す）。
【００２６】
図２は取手部６の周りを拡大して示す斜視図である。取手部６は、図示のように画像形成装置の装置本体１に形成した凹部７と、その上縁に設けたガイド８とから構成してあり、引き出して使用するタイプではなく、いわゆる内蔵タイプとなっている。
【００２７】
図中１０は、この取手部６、６を利用して取り付けるアタッチメントである。アタッチメント１０の本体１１は、取手部６の凹部７内に嵌着可能な箱体状の外形状を有する。
【００２８】
またアタッチメント１０の本体１１は、上縁部にストッパ部１２を備えている。このストッパ部１２は、本体１１を凹部７へセットした後のはずれ防止用で、ストッパ部１２がガイド８の裏側へもぐり込むようにセットする。
【００２９】
また本体１１の正面には一対のピン１３、１３を間隔をおいてカシメ等により設けてある。これらピン１３の左右両側には、それぞれ板バネ１４、１４が側方へ突出するように設けてある。この板バネ１４の画像形成装置の装置本体１側、すなわち装置本体１を構成する外装部材に接触する面には、例えばフェルト等を貼り付けて、外装部への加傷を防止できるようにすることが好ましい。そして、板バネ１４を外装部材に押し付けることでストッパ部１２とともに本体１１のはずれ防止を行っている。
【００３０】
連結部材２０は、剛体の筒状部材で、一対の突起状のガイド２１、２１を内蔵して備えており、端部開口からピン１３にかぶせるようにセットし、連結部材２０のガイド２１をピン１３の図中斜線部（図中Ａ部）にセットし、それによって隣り合って並置した画像形成装置等の機器間の距離を固定し、機器同士の衝突による外装部材への衝撃発生、傷付きを防止するようになっている。連結部材２０は嵌着するだけなので、取手部６への固定を工具を使用せずに行える。また運送時における振動、衝撃時においても外れにくいので、確実に外装部材への加傷を防止できる。
【００３１】
図３はアタッチメント１０に取り付ける保護バンド３０を示す斜視図である。この保護バンド３０はほぼ全体的に保護クッション３１を備えており、バンド部材３２の端部には穴３３を備えている。そして、一方の穴３３をピン１３の図中Ｂで示す基部に装着し、画像形成装置等の機器の正面側あるいは背面側へ掛け廻し、反対側の側面のアタッチメント１０の対応するピン１３にセットすることで、保護クッション３１により、機器の外面の外装部材への衝撃を防止し、外装部材の傷付きを防止することができるようになっている。この保護バンド３０も、運送時における振動、衝撃時においても外れにくいので、確実に外装部材への加傷を防止できる。
【００３２】
もちろん、機器の正面側と背面側を両方とも保護するには二つの保護バンド３０を用いたり、長い保護バンドを作成し、１本で機器の全周に掛け回せるようにしたりすることなるが、機器の正面側あるいは背面側のみを必要に応じて保護するようにしてもよい。
【００３３】
特に、図示の例のように保護クッション３１にバンド材を通すための通孔３４を設けておけば、長さ及び厚さの違う保護バンドを数種類用意しておき、必要に応じて使い分ければ、工具を用いずに着脱できるので、交換が簡単に行えるため、機器の大きさや重量の違いに対応できる。
【００３４】
また連結部材２０と保護バンド３０とを同時に用いればさらに好ましい機器への加傷防止が図れる。
【図面の簡単な説明】
【００３５】
【図１】本発明の実施対象とする画像形成装置の一例を示す斜視図
【図２】図１の実施例の取手部の周りを拡大して示す斜視図
【図３】アタッチメントに取り付ける保護バンドを示す斜視図
【符号の説明】
【００３６】
１    画像形成装置の装置本体
２    自動原稿給送装置
３    操作部
４    給紙部
５    装置本体の側面
６    取手部
７    取手部の凹部
８    同ガイド
１０    アタッチメント
１１    アタッチメントの本体
１２    同ストッパ部
１３    同ピン
１４    同板バネ
２０    連結部材
２１    連結部材のガイド
３０    保護バンド
３１    保護クッション
３２    バンド部材
３３    バンド部分の穴
３４    保護クッションの通孔
【図１】
2006182365.tif 000003
【図２】
2006182365.tif 000004
【図３】
2006182365.tif 000005